(57)【要約】【課題】風雨に曝されても汚れがたまらず腐食や錆が生じにくく、裏面から見た際に隣接するパネル同士の継ぎ目が目視されず、外観が良いフェンスの胴縁構造を提供する。【解決手段】複数本の縦格子を互いに連結し、かつ支柱３に取付けるための胴縁２と胴縁２の開放面に取付けられるカバー６からなる。胴縁２の係合縁２７にカバー６の被係合片６７を係合させ、胴縁２の底面板２３にカバー６の底当て板６３を沿わせてビス止めすると、外部からビスが見えず、胴縁２の裏面側にカバー６がしっかりと固定される。胴縁２にカバー６を取付ける際に、カバー６の両端を支柱３と胴縁２との間の隙間に差し込める。このため、支柱３とカバー６の間にも隙間が無くなり、かつ、フェンスパネル同士の継ぎ目を隠すことができ、裏面から見た際に一本の胴縁の様な外観となって外観が良くなる。【選択図】図１
2015161100.tif 000002
【特許請求の範囲】
【請求項１】
複数本の縦格子を互いに連結し、かつ支柱に取付けるための胴縁と、
該胴縁の開放面に取付けられるカバーを備えるフェンスにおいて、
前記胴縁は、その断面形状が、前面板と上面板と底面板とを有する略コ字状であって、裏面側が開放面であり、
前記上面板は、その裏面側端縁から下方に垂下した係合縁を有しており、
前記カバーは、立面板と底当て板とからなる断面略Ｌ字状の部材であり、
前記立面板の上縁には、前記係合縁に係合する被係合片が形成されている
ことを特徴とするフェンスの胴縁構造。
【請求項２】
前記底当て板は、前記底面板に沿わせて下面でビス止めされる
ことを特徴とする請求項１記載のフェンスの胴縁構造。
【請求項３】
前記カバーは、その長さが隣接する支柱における胴縁固定用ボルト間の距離より短く、かつ隣接する支柱における対向する側壁間の距離より長い
ことを特徴とする請求項１または２記載のフェンスの胴縁構造。
【発明の詳細な説明】
【技術分野】
【０００１】
本発明は、フェンスの胴縁構造に関する。さらに詳しくは、縦格子のフェンスにおける胴縁構造に関する。
【背景技術】
【０００２】
縦格子のフェンスは、一般的に複数本の縦格子と上下の胴縁により構成されたパネルを支柱に取付けた構造である（特許文献１，２参照）。
上記従来技術のフェンスを含め、公知のフェンスの多くでは胴縁は縦格子および支柱を固定する機能のみもつものであり、また、縦格子の固定用ビスを差し込む必要から、断面形状がコ字状などで裏面側が開放された形状のものがある。
【０００３】
しかるに、裏面側が開放された胴縁を用いると風雨によって持ち込まれた汚れがたまり腐食や錆が生ずることがある。腐食や錆はフェンスの寿命を短くするので好ましくない。また、特許文献１，２のように、隣接するパネル同士を継手カバー等で連結した場合、継手カバー等が露呈しているため、見映えが良くないという問題がある。
【先行技術文献】
【特許文献】
【０００４】
【特許文献１】実開平２−４５２５３号公報
【特許文献２】実開平６−３２６３３号公報
【発明の概要】
【発明が解決しようとする課題】
【０００５】
本発明は上記事情に鑑み、風雨に曝されても汚れがたまらず腐食や錆が生じにくく、裏面から見た際に隣接するパネル同士の継ぎ目が目視されず外観が良くなるフェンスの胴縁構造を提供することを目的とする。
【課題を解決するための手段】
【０００６】
第１発明のフェンスの胴縁構造は、複数本の縦格子を互いに連結し、かつ支柱に取付けるための胴縁と、該胴縁の開放面に取付けられるカバーを備えるフェンスにおいて、前記胴縁は、その断面形状が、前面板と上面板と底面板とを有する略コ字状であって、裏面側が開放面であり、前記上面板は、その裏面側端縁から下方に垂下した係合縁を有しており、前記カバーは、立面板と底当て板とからなる断面略Ｌ字状の部材であり、前記立面板の上縁には、前記係合縁に係合する被係合片が形成されていることを特徴とする。
第２発明のフェンスの胴縁構造は、第１発明において、前記底当て板は、前記底面板に沿わせて下面でビス止めされることを特徴とする。
第３発明のフェンスの胴縁構造は、第１または第２発明において、前記カバーは、その長さが隣接する支柱における胴縁固定用ボルト間の距離より短く、かつ隣接する支柱における対向する側壁間の距離より長いことを特徴とする。
【発明の効果】
【０００７】
第１発明によれば、胴縁の係合縁にカバーの被係合片を係合させ、胴縁の裏面側にカバを取付けると、胴縁の開放面を塞ぐことができ胴縁の内部に風雨が入らないので汚れがたまらず錆や腐食が生じにくくなる。このため、フェンスの美観が保たれ、寿命も長くなる。
第２発明によれば、胴縁の底面板にカバーの底当て板を沿わせてビス止めすると、カバーがしっかり取付けられると共にビスが胴縁の下面に位置することによって、外部からビスが見えなくなり外観が良くなる。
第３発明によれば、カバーの長さが隣接する支柱における胴縁固定用ボルト間の距離より短いので胴縁固定用ボルト等と干渉せず、しかも隣接する支柱間の対向する側壁間の距離より長いので、カバーの両端を支柱と胴縁との間の隙間に差し込める。また、フェンスパネル同士の継目を隠すことができ、裏面から見た際に一本の胴縁の様な外観となり、外観が良くなる。また、汚れがたまらず錆や腐食が生じにくくなるので、フェンスの寿命も長くなる。さらに、カバーが胴縁固定用ボルトで螺合されないため、フェンスを解体しなくてもカバーを取り外し、縦格子へのビスを締め直すことができ、メンテナンスが容易となる。
【図面の簡単な説明】
【０００８】
【図１】本発明の一実施形態における胴縁構造の胴縁とカバーの組立て時断面図である。
【図２】図１に示した胴縁２とカバー６の拡大端面図である。
【図３】図１に示す胴縁２とカバー６の組立て状態における拡大端面図である。
【図４】本発明の胴縁構造が適用されたフェンスＦの背面図である。
【図５】図４のフェンスＦの側面図である。
【発明を実施するための形態】
【０００９】
つぎに、本発明の実施形態を図面に基づき説明する。
まず、図４および図５に基づき本発明が適用されるフェンスＦを説明する。
フェンスＦは複数本の縦格子１を２本の胴縁２，２で連結している。一方の胴縁２は縦格子１の上方部分に配置され、他方の胴縁２は縦格子１の下方部分に配置されている。
【００１０】
胴縁２の縦格子１への結合は、ビス等のねじ込みにより行われる。また、胴縁２は支柱３に対し、ボルト締結により固定される。
【００１１】
つぎに、胴縁構造の詳細を説明する。
図１に示すように、胴縁２は縦格子１と支柱３との間にあって、互いにこれらを結合している。縦格子１と胴縁２はビス４で結合されている。胴縁２と支柱３とは長尺のボルト５で結合されている。そして、胴縁２の背面（図中右側）である開放面にカバー６が取付けられている。つまり、カバー６は胴縁２と支柱３との間に位置する。
【００１２】
図２に基づき胴縁２の形状を説明する。
胴縁２は、その断面形状が、前面板２１と上面板２２と底面板２３とを有する略コ字状であって、裏面側（図中右側）は開放面となっている。
なお、前面板２１と上面板２２の間はＬ形のリブ２４で結合されており、また前面板２１と底面板２３との間もＬ形のリブ２５で結合されている。
かかる基本形状を有する胴縁２はアルミニウム等の軽金属材を用いた押出し成形品であるゆえ、各板２１，２２，２３は一体につながったものである。しかし、個別の板材をつなぎ合せた構造のものであってもよい。
【００１３】
上側のリブ２４と下側のリブ２５との間は空間が設けられており、この空間は胴縁２を縦格子１に結合するためのビス（図示せず）を通したりビス止めの作業用のドライバーを通すために利用される。
符号２６はナット保持部を示している。このナット保持部２６は、胴縁２を支柱３に結合する場合に用いるボルトの相手部材であるナットを保持する部材である。
【００１４】
特許請求の範囲にいう開放面とは、全面的に開放された面だけでなく、ナット保持部２６等が部分的に存在していても上端から下端の間で閉塞されていない部分を有する形態をも含むものである。
【００１５】
前記上面板２２は、その裏面側端縁から下方に垂下した係合縁２７を有している。胴縁２の底面板２３はクランク状に折れ曲った板状部分であるが、平坦な板状部分であってもよい。この下面には、第１ビス止め溝２８が形成されている。
【００１６】
さらに、図２に基づきカバー６の形状を説明する。
カバー６は、立面板６１と底当て板６３とからなる断面略Ｌ字状の部材である。立面板６１の上縁には、胴縁２の係合縁２７に係合する被係合片６７が形成されている。底当て板６３は胴縁２の底面板２３に沿わせてビス止めできる部材である。また、カバー６の底当て板６３の下面には、第２ビス止め溝６８が形成されている。
【００１７】
図３に基づき、胴縁２とカバー６の組立て状態を説明する。
胴縁２の係合縁２７の内側にカバー６の被係合片６７を係合させ、胴縁２の底面板２３の下面にカバー６の底当て板６３を沿わせる。この状態で、第１ビス止め溝２８と第２ビス止め溝６８は同位置となるので、孔あけ作業やビスのねじ込み作業が容易に行える。そして、図１に示すように、ビス７でビス止めすると、胴縁２の開放面にカバー６がしっかりと固定され自然と外れることはなくなる。また、下面からビス止めすることによって、外部からはビスが見えなくなって外観が良くなる。
【００１８】
カバー６の長さは、図４に示すように隣接する支柱３，３における胴縁固定用ボルト５，５間の距離Ｄ１より短く、隣接する支柱３，３間の対向する側壁３Ｗ間の距離Ｄ２より長い。このように、カバー６の長さが隣接する支柱３，３間における胴縁固定用ボルト５，５間の距離Ｄ１より短いので胴縁固定用ボルト５等と干渉せず、しかも隣接する支柱間の対向する側壁３ｗ，３ｗ間の距離Ｄ２より長いので、カバー６の両端を支柱３と胴縁２との間の隙間に差し込むことができる。
【００１９】
カバー６の取付手順はつぎのとおりである。
（１）まず支柱３に縦格子１と胴縁２とからなるフェンスパネルを取付ける。
（２）つぎに、胴縁２にカバー６を取付ける。
このとき、カバー６の両端部はそれぞれ支柱３と胴縁２との間の隙間に差し込まれる。
【００２０】
以上のようにカバー６を取付けると、支柱３とカバー６の間にも隙間が無くなり、かつ、フェンスパネル同士の継目を隠すことができ、裏面から見た際に一本の胴縁の様に見え外観が良くなる。しかも、汚れがたまらず錆や腐食が生じにくくなる。
【００２１】
また、胴縁の開放面にカバー６を取付けて閉塞すると、胴縁２に開放部分がなくなるので、胴縁２の内部に風雨が入らず、汚れがたまらず錆や腐食が生じにくくなる。このため、フェンスＦの美観が保たれ、寿命も長くなる。
【００２２】
（他の実施形態）
前記実施形態では、カバー６の底当て板６３を胴縁２の底面板２３に当ててビス止めしたが、カバー６のビス止め方法はこれに限られず、とくに制限なく任意に採用してよい。たとえば、カバー６の下端部を胴縁２の内側空間に入るようにし、その内側空間でカバー６の下端部を胴縁２の内側部材にビス止めする等の方法も選択できる。
【符号の説明】
【００２３】
１    縦格子
２    胴縁
３    支柱
５    胴縁固定用ボルト
６    カバー
２１    前面板
２２    上面板
２３    底面板
２７    係合縁
６１    立面板
６３    底当て板
６７    被係合片
【図１】
2015161100.tif 000003
【図２】
2015161100.tif 000004
【図３】
2015161100.tif 000005
【図４】
2015161100.tif 000006
【図５】
2015161100.tif 000007